(57)【特許請求の範囲】
【請求項１】
接着剤をもって基材に取り付けられるガスケットであって、前記接着剤を貯留する接着剤貯留溝をガスケット長さ方向に沿って当該ガスケットの接着面に設けたガスケットにおいて、
当該ガスケットに対し前記接着剤を塗布するときに前記接着剤貯留溝内に閉じ込められるエアをガスケット外部へ放出するためのエア抜き流路を前記接着剤貯留溝およびガスケット側面部間に設けたことを特徴とするガスケット。
【請求項２】
請求項１記載のガスケットにおいて、
前記エア抜き流路をガスケット長さ方向に沿って複数設けたことを特徴とするガスケット。
【請求項３】
請求項１または２記載のガスケットにおいて、
当該ガスケットは、接着面と反対側の面にシールリップを有し、
前記シールリップのリップ頂部と平面上重ならない位置に前記接着剤貯留溝を２本設け、
前記各接着剤貯留溝とガスケット側面部との間にそれぞれ前記エア抜き流路を設けたことを特徴とするガスケット。
【発明の詳細な説明】
【技術分野】
【０００１】
本発明は、シール技術に係るガスケットに関し、更に詳しくは、接着剤をもって基材に取り付けられるガスケットに関する。本発明のガスケットは例えば、燃料電池用ガスケットとして用いられ、あるいはその他一般のガスケットとして用いられる。
【背景技術】
【０００２】
従来から図７（Ａ）に示すように、ゴム状弾性体などのシール材によって単体で成形され、成形後に接着剤６１をもって燃料電池用セパレータなどの基材７１に取り付けられるガスケット５１が知られている（以下、単体で成形し、成形後に接着剤をもって基材に取り付けることを「後貼り」とも称する）。ガスケット５１はその高さ方向の一面（下面）を基材７１に対する接着面５３とされ、この平面状に形成された接着面５３に接着剤６１を塗布し、塗布後、ガスケット５１を基材７１の取付面７３に押し付けることにより基材７１に対して固定される。
【０００３】
しかしながら、このような後貼りタイプのガスケットで５１は、塗布する接着剤６１に塗りムラが発生することがあり、塗りムラが発生するとガスケット高さにバラつきが発生し接着状態が安定せず、よってシール性（気密性ないし液密性）が損なわれる可能性がある。また、接着面５３が平面であるため、ガスケット５１を基材７１の取付面７３に押し付けたときに一部の接着剤６１が押し出されて溢れ（押し出されて溢れた部分を符号６１Ｈにて示す）、外観を損ねることがある。
【先行技術文献】
【特許文献】
【０００４】
【特許文献１】特開２００４−５５２７６号公報
【発明の概要】
【発明が解決しようとする課題】
【０００５】
上記問題に対策するには図７（Ｂ）に示すように、塗布した接着剤６１を貯留する接着剤貯留溝５４をガスケット長さ方向に沿ってガスケット５１の接着面５３に設け、これにより接着剤６１の塗りムラを抑えることが考えられる。
【０００６】
しかしながら、このようにガスケット５１の接着面５３に接着剤貯留溝５４を設けた場合には、ガスケット５１に対し接着剤６１を塗布するときに溝５４内部にエアＡを閉じ込めてしまうことがあり、エアＡの閉じ込めが発生すると、ガスケット５１を基材７１に押し付けたときに溝５４内部のエアＡが抜けずに滞留し、これにより接着不良を生じる可能性がある。また、シールリップ５５の直下位置で接着不良が生じた場合には、シール性（気密性ないし液密性）が損なわれる可能性がある。また、温度変化に伴うエアＡの体積変化が発生するため、これによってもシール性が損なわれる可能性がある。
【０００７】
本発明は以上の点に鑑みて、ガスケットの接着面に設けた接着剤貯留溝にエアが閉じ込められるのを抑制することができ、よって接着不良やシール性の低下が発生するのを抑制することができるガスケットを提供することを目的とする。
【課題を解決するための手段】
【０００８】
上記目的を達成するため、本発明のガスケットは、接着剤をもって基材に取り付けられるガスケットであって、前記接着剤を貯留する接着剤貯留溝をガスケット長さ方向に沿って当該ガスケットの接着面に設けたガスケットにおいて、当該ガスケットに対し前記接着剤を塗布するときに前記接着剤貯留溝内に閉じ込められるエアをガスケット外部へ放出するためのエア抜き流路を前記接着剤貯留溝およびガスケット側面部間に設けたことを特徴とする。
【０００９】
上記構成を備える本発明のガスケットにおいては、接着剤貯留溝およびガスケット側面部間にエア抜き流路が設けられているため、ガスケットに接着剤を塗布するとき、もしくはガスケットを基材の取付面に押し付けるときに、接着剤貯留溝内部のエアをエア抜き流路からガスケット外部へ放出することが可能とされる。したがってエアの閉じ込めを抑制することが可能とされ、エアの閉じ込めを原因とする接着不良やシール性の低下が発生するのを抑制することが可能とされる。
【００１０】
尚、接着剤貯留溝はガスケット長さ方向に沿って設けられるので、その長さ方向複数個所からエアを放出できるように、エア抜き流路はこれをガスケット長さ方向に沿って複数設けることが好ましい。
【００１１】
また、ガスケットがシールリップを有する場合、シールリップのリップ頂部と平面上重なる位置に接着剤貯留溝を設けると、接着剤硬化によりガスケット反力が極端に増加してしまうことが懸念される。したがってこれに対策するには、シールリップのリップ頂部と平面上重ならない位置に接着剤貯留溝を２本設け、各接着剤貯留溝とガスケット側面部との間にそれぞれエア抜き流路を設けることが好ましい。
【発明の効果】
【００１２】
本発明によれば、ガスケットの接着面に設けた接着剤貯留溝にエアが閉じ込められるのを抑制することができ、よってガスケットに接着不良やシール性の低下が発生するのを抑制することができる。
【図面の簡単な説明】
【００１３】
【図１】本発明の第１実施例に係るガスケットを斜め下方から視た一部斜視図
【図２】同ガスケットの一部底面図
【図３】同ガスケットの断面図であって、（Ａ）は図２におけるＣ−Ｃ線断面図、（Ｂ）は図２におけるＤ−Ｄ線断面図
【図４】本発明の第２実施例に係るガスケットを斜め下方から視た一部斜視図
【図５】同ガスケットの一部底面図
【図６】同ガスケットの断面図であって、（Ａ）は図５におけるＥ−Ｅ線断面図、（Ｂ）は図５におけるＦ−Ｆ線断面図
【図７】（Ａ）および（Ｂ）とも従来例に係るガスケットの断面図
【発明を実施するための形態】
【００１４】
本発明には、以下の実施形態が含まれる。
（１）先行技術では溝（接着剤貯留溝）はガスケットの長さ方向に平行な溝として設計されるが、さらに垂直方向に溝（エア抜き流路）を設ける。
（２）ガスケットの長さ方向と垂直に溝を設けると、ガスケットを基材に押し付けた際に平行溝に接着剤を保持し接着性が向上するだけでなく、溝内部に滞留する空気が垂直方向の溝から抜けることで、ムラなく接着剤が充填可能となり、はみ出しがなく、外観も良好となる。
【実施例】
【００１５】
つぎに本発明の実施例を図面にしたがって説明する。
【００１６】
第１実施例・・・・
図１ないし図３は、本発明の第１実施例に係るガスケット１１を示している。当該実施例に係るガスケット１１は、燃料電池用ガスケットとして、基材であるセパレータ３１（図３）の一面に後貼りされるものであって、以下のように構成されている。尚、基材であるセパレータ３１の一面上にはガスケット装着溝３２が設けられ、その溝底面がガスケット取付面３３とされている。
【００１７】
ガスケット１１は、所定のゴム状弾性体などのシール材によって単体で成形され、その長手直角の断面形状において横長長方形状を呈するガスケット基部１２を有し、このガスケット基部１２の下面がガスケット接着面１３とされている。また、ガスケット基部１２の上面にその全幅に亙って断面略三角形のシールリップ１４が一体成形されている。したがってガスケット１１はその全体として、平面状の底面部（接着面１３）、左右一対の垂直面状の側面部１５、左右一対の傾斜面部１６および断面円弧形のシールリップ頂部１７よりなる各面を備えている。
【００１８】
ガスケット接着面１３における幅方向中央に、接着剤（図示せず）を貯留するための接着剤貯留溝２１が１本、ガスケット長手方向に沿って設けられている。接着剤貯留溝２１は断面円弧形とされ、その溝幅ｗ１をシールリップ頂部１７の幅寸法ｗ２よりも少々大きく設定されている（ｗ１＞ｗ２）。
【００１９】
また、ガスケット接着面１３に併せて、エア抜き流路２２が設けられている。
【００２０】
このエア抜き流路２２は、当該ガスケット１１の接着面１３に接着剤を塗布するときに接着剤貯留溝２１内に閉じ込められるエア（図示せず）をガスケット外部へ放出するために設けられており、この機能を発揮するべく接着剤貯留溝２１およびガスケット側面部１５間に設けられ、ガスケット側面部１５に開口している。
【００２１】
また、このエア抜き流路２２は、接着剤貯留溝２１と同様に溝として設けられており、その溝深さｄ１を接着剤貯留溝２１の溝深さｄ２と同等か（ｄ１＝ｄ２）、もしくは図示するように接着剤貯留溝２１の溝深さｄ２よりも少々浅く設定されている（ｄ１＜ｄ２）。エア抜き流路２２は、接着剤貯留溝２１の幅方向両側にそれぞれ設けられている。またエア抜き流路２２は、ガスケット長さ方向に沿って複数が設けられている。
【００２２】
上記構成を備えるガスケット１１においては、接着剤貯留溝２１およびガスケット側面部１５間にエア抜き流路２２が設けられているため、ガスケット１１に接着剤を塗布するとき、もしくはガスケット１１を基材であるセパレータ３１の取付面３３に押し付けるときに、接着剤貯留溝２１内部のエアをエア抜き流路２２からガスケット外部へ放出することが可能とされている。したがって接着剤貯留溝２１内部にエアが閉じ込められるのを抑制することができ、エアの閉じ込めを原因とする接着不良やシール性の低下が発生するのを抑制することができる。また、一部の接着剤がエア抜き流路２２内部に保持された状態で接着が行なわれるため、接着性を向上させることができ、接着剤のはみ出しも生じにくくなる。
【００２３】
第２実施例・・・・
図４ないし図６は、本発明の第２実施例に係るガスケット１１を示している。当該実施例に係るガスケット１１は、燃料電池用ガスケットとして、基材であるセパレータ３１（図６）の一面に後貼りされるものであって、以下のように構成されている。基材であるセパレータ３１の一面上にはガスケット装着溝３２が設けられ、その溝底面がガスケット取付面３３とされている。
【００２４】
ガスケット１１は、所定のゴム状弾性体などのシール材によって単体で成形され、その長手直角の断面形状において横長長方形状を呈するガスケット基部１２を有し、このガスケット基部１２の下面がガスケット接着面１３とされている。また、ガスケット基部１２の上面にその全幅に亙って断面略三角形のシールリップ１４が一体成形されている。したがってガスケット１１は全体として、平面状の底面部（接着面１３）、左右一対の垂直面状の側面部１５、左右一対の傾斜面部１６および断面円弧形のシールリップ頂部１７よりなる各面を備えている。
【００２５】
ガスケット接着面１３に、接着剤（図示せず）を貯留するための接着剤貯留溝２１が２本、ガスケット長手方向に沿って設けられている。２本の接着剤貯留溝２１はその間隔ｗ３をシールリップ頂部１７の幅寸法ｗ２よりも少々大きく設定され（ｗ３＞ｗ２）、よって接着剤貯留溝２１はそれぞれシールリップ頂部１７と平面上重ならない位置に配置されている。接着剤貯留溝２１は断面円弧形に形成されている。
【００２６】
また、ガスケット接着面１３に併せて、エア抜き流路２２が設けられている。
【００２７】
このエア抜き流路２２は、当該ガスケット１１の接着面１３に接着剤を塗布するときに接着剤貯留溝２１内に閉じ込められるエア（図示せず）をガスケット外部へ放出するために設けられており、この機能を発揮するべく接着剤貯留溝２１およびガスケット側面部１５間に設けられ、ガスケット側面部１５に開口している。尚、当該実施例では上記したように接着剤貯留溝２１が２本設けられているので、ガスケット幅方向一方の接着剤貯留溝２１およびガスケット幅方向一方のガスケット側面部１５間ならびにガスケット幅方向他方の接着剤貯留溝２１およびガスケット幅方向他方のガスケット側面部１５間にそれぞれエア抜き流路２２が設けられている。
【００２８】
また、このエア抜き流路２２は、接着剤貯留溝２１と同様に溝として設けられており、その溝深さｄ１を接着剤貯留溝２１の溝深さｄ２と同等か（ｄ１＝ｄ２）、もしくは図示するように接着剤貯留溝２１の溝深さｄ２よりも少々浅く設定されている（ｄ１＜ｄ２）。エア抜き流路２２は、ガスケット長さ方向に沿って複数が設けられている。
【００２９】
上記構成を備えるガスケット１１においては、接着剤貯留溝２１およびガスケット側面部１５間にエア抜き流路２２が設けられているため、ガスケット１１に接着剤を塗布するとき、もしくはガスケット１１を基材であるセパレータ３１の取付面３３に押し付けるときに、接着剤貯留溝２１内部のエアをエア抜き流路２２からガスケット外部へ放出することが可能とされている。したがって接着剤貯留溝２１内部にエアが閉じ込められるのを抑制することができ、エアの閉じ込めを原因とする接着不良やシール性の低下が発生するのを抑制することができる。また、一部の接着剤がエア抜き流路２２内部に保持された状態で接着が行なわれるため、接着性を向上させることができ、接着剤のはみ出しも生じにくくなる。
【００３０】
更にまた、接着剤貯留溝２１がそれぞれシールリップ頂部１７と平面上重ならない位置に配置されているため、接着剤貯留溝２１内部で接着剤が硬化しても、ガスケット反力が極端に増大するのを抑制することができる。
【符号の説明】
【００３１】
１１  ガスケット
１２  ガスケット基部
１３  ガスケット接着面
１４  シールリップ
１５  側面部
１６  傾斜面部
１７  シールリップ頂部
２１  接着剤貯留溝
２２  エア抜き流路
３１  セパレータ（基材）
３２  ガスケット装着溝
３３  ガスケット取付面
【図１】
0006542056.tif 000002
【図２】
0006542056.tif 000003
【図３】
0006542056.tif 000004
【図４】
0006542056.tif 000005
【図５】
0006542056.tif 000006
【図６】
0006542056.tif 000007
【図７】
0006542056.tif 000008